【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
複合シートの製造工程、及び該工程において得られた複数本の複合シートを用いて吸収性物品を製造する工程を具備する吸収性物品の製造方法であって、
前記複合シートの製造工程が、一枚の原反シートを連続的に搬送しながらその流れ方向に沿って切断して４本以上の分割シートを得る分割工程、及び、前記分割シートのうちの、前記原反シートの側縁であった端縁を含む外側シートと該原反シートの側縁であった端縁を含まない内側シートとを組み合わせて積層一体化する一体化工程を含む、吸収性物品の製造方法。
【請求項２】
前記分割工程と前記一体化工程との間に、該一体化工程において一体化させる前記外側シートと前記内側シートの位置関係を調整する工程を具備する請求項１記載の吸収性物品の製造方法。
【請求項３】
前記外側シートと前記内側シートの位置関係の調整は、両シートの中央位置を基準とする、請求項２記載の吸収性物品の製造方法。
【請求項４】
前記複合シートに、前記内側シートの幅方向の端縁の位置を基準に位置決めして、接合及び折り曲げから選択される一以上の加工を施す中間加工工程を具備する、請求項１〜３の何れか１項記載の吸収性物品の製造方法。
【請求項５】
前記中間加工工程が、前記複合シートに他の部材を間欠的に固定する接合工程を含む、請求項４記載の吸収性物品の製造方法。
【請求項６】
前記一体化工程において、前記外側シートと前記内側シートとを、両シート間に弾性部材を介在させて一体化させる、請求項１〜５の何れか１項記載の吸収性物品の製造方法。
【請求項７】
前記分割工程においては、前記原反シートを偶数本の分割シートに分割する、請求項１〜６の何れか１項記載の吸収性物品の製造方法。
【請求項８】
前記外側シートと前記内側シートの位置関係の調整は、該外側シートと該内側シートとを積層した際に、該外側シートの幅内に該内側シートの全幅が収まるように行う、請求項２記載の吸収性物品の製造方法。
【請求項９】
前記吸収性物品は、吸収体を含む吸収性本体と、該吸収性本体の両側部に固定された一対のサイドパネルとを備えた展開型の使い捨ておむつであり、一対のサイドパネルが、切断した前記複合シートからなる、請求項１〜８の何れか１項記載の吸収性物品の製造方法。
【請求項１０】
前記吸収性物品は、着用者の腹側に配される腹側シート部材と、着用者の背側に配される背側シート部材と、腹側シート部材及び背側シート部材に架け渡して固定された吸収性本体とを有するパンツ型の吸収性物品であり、前記腹側シート部材及び前記背側シート部材が、切断した前記複合シートからなる、請求項１〜８の何れか１項記載の吸収性物品の製造方法。
【手続補正２】
【補正対象書類名】明細書
【補正対象項目名】００２８
【補正方法】変更
【補正の内容】
【００２８】
本実施態様の方法によれば、内側シート３２と外側シート３１を組み合わせて加工を行うことによって、貼り合わせて得られた複合シート３Ａ，３Ａのそれぞれに、スリット時に蛇行による幅方向寸法の影響を受けていない内側シート３２が入っている。そのため、貼り合わせ後の工程で加工を行う際に、複合シート３Ａのそれぞれについて、センサで内側シートの位置を読み取ることが可能となり、それをもとに位置出しをすることで加工・製品精度が向上する。
また、本実施態様においては、図３に示すように、外側シート３１の幅が内側シート３２の幅よりも狭くなるように設計している。そのため、原反シート３０が蛇行しても、幅に蛇行の影響のない精度の良い内側シートの幅を複合シートの幅とすることができ、製造する複合シートの幅の精度等が向上する。また、図８に示すように、位置を調節し易く、又はカメラ等で幅の狭い外側シートの端縁を検知しやすくなるといった利点もある。
【手続補正３】
【補正対象書類名】明細書
【補正対象項目名】００３５
【補正方法】変更
【補正の内容】
【００３５】
外側シート３１の幅を内側シート３２の幅よりも狭くなるように設計するのに代えて、原反シート３０を、同幅の分割シートが生じるようにスリットしても良い。この場合、スリット装置に導入する原反シート３０に蛇行が生じて、原反シート３０の中心が、その基準位置Ｌからずれると、図１０（ａ）に示すように、内側シート３２Ｌ，３２Ｒよりも幅の広い外側シート３１Ｌが生じたり、図１０（ｂ）に示すように、内側シート３２Ｌ，３２Ｒよりも幅の広い外側シート３１Ｒが生じる。この場合においても、図１０（ａ）及び図１０（ｂ）に示すように、内側シート３２と外側シート３１を積層一体化することによって、貼り合わせて得られた複合シート３Ａ’，３Ａ”のそれぞれに、スリット時に蛇行による幅方向寸法の影響を受けていない内側シート３２が入る。そのため、貼り合わせ後の工程で加工を行う際に、複合シート３Ａ’，３Ａ”のそれぞれについて、センサで内側シート３２の位置を読み取ることが可能となり、それをもとに位置出しをすることで加工・製品精度が向上する。内側シート３２の位置は、例えば、幅方向の両端縁それぞれの位置を読み取っても良いし、何れか一方の端縁の位置のみを読み取っても良い。
【手続補正４】
【補正対象書類名】明細書
【補正対象項目名】００４８
【補正方法】変更
【補正の内容】
【００４８】
＜６＞  前記複合シートに、前記内側シートの幅方向の端縁の位置を基準に位置決めして、接合及び折り曲げから選択される一以上の加工を施す中間加工工程を具備する、前記＜１＞〜前記＜５＞の何れか１に記載の吸収性物品の製造方法。
＜７＞  前記中間加工工程が、前記複合シートに他の部材を間欠的に固定する接合工程を含む、前記＜６＞に記載の吸収性物品の製造方法。
＜８＞  前記他の部材は、ファスニングテープである、前記＜７＞に記載の吸収性物品の製造方法。
＜９＞  前記一体化工程において、前記外側シートと前記内側シートとを、両シート間に弾性部材を介在させて一体化させる、前記＜１＞〜前記＜８＞の何れか１に記載の吸収性物品の製造方法。
＜１０＞  前記一体化工程に一対の弾性部材搬送用長手構造体と、弾性部材巻回手段と、弾性部材と一対のシートとを一体化する一体化手段とを備える積層一体化装置を用い、前記複合シートとして、内側シートと外側シートとの間に弾性部材が固定されていると共に幅方向に伸縮性を有する複合シートを製造する、前記＜９＞に記載の吸収性物品の製造方法。
＜１１＞  一枚の前記原反シートは、偶数本の分割シート（例えば４本、６本、８本又は１０本等）の分割シートに分割するか、奇数本の分割シートに分割するか、または５本に分割し、３本の内側シートのうち２本は外側シートと接合し、残る１本の内側シートは他の分割シートとは接合せず吸収性物品の構成材料として用いるか、あるいは他の内側シートと共に外側シートに接合し３層構造の複合シートを得る、前記＜１＞〜前記＜１０＞の何れか１に記載の吸収性物品の製造方法。
＜１２＞  前記分割工程においては、前記原反シートを偶数本の分割シートに分割する、前記＜１＞〜前記＜１１＞の何れか１に記載の吸収性物品の製造方法。
＜１３＞  前記外側シートと前記内側シートの位置関係の調整は、該外側シートと該内側シートとを積層した際に、該外側シートの幅内に該内側シートの全幅が収まるように行う、前記＜２＞〜＜１２＞に記載の吸収性物品の製造方法。
＜１４＞  前記吸収性物品は、吸収体を含む吸収性本体と、該吸収性本体の両側部に固定された一対のサイドパネルとを備えた展開型の使い捨ておむつであり、一対のサイドパネルが、切断した前記複合シートからなる、前記＜１＞〜前記＜１３＞の何れか１に記載の吸収性物品の製造方法。
＜１５＞  前記吸収性物品は、着用者の腹側に配される腹側シート部材と、着用者の背側に配される背側シート部材と、腹側シート部材及び背側シート部材に架け渡して固定された吸収性本体とを有するパンツ型の吸収性物品であり、前記腹側シート部材及び前記背側シート部材が、切断した前記複合シートからなる、前記＜１＞〜前記＜１４＞の何れか１に記載の吸収性物品の製造方法。